【手続補正書】
【提出日】令和3年1月21日(2021.1.21)
【手続補正１】
【補正対象書類名】特許請求の範囲
【補正対象項目名】全文
【補正方法】変更
【補正の内容】
【特許請求の範囲】
【請求項１】
システムであって、
再充電装置であって、パターンに配置された複数の送信コイルを備え、前記複数の送信コイルのうちの少なくとも1つが、前記再充電装置の近くに配置された受信コイルと無線リンクを確立することを可能にする、再充電装置と、
前記複数の送信コイルに結合され、前記複数の送信コイルのうちのいくつかに選択的に給電し、前記受信コイルに電力を伝送するように構成された電源と、
前記複数の送信コイルに結合され、前記電源により給電されたとき、前記複数の送信コイルの各々の、前記複数の送信コイルのうちの1つと前記受信コイルとの間のエネルギー効率を示す、電気的応答を検出するように構成されたエネルギー効率検出回路と、
前記エネルギー効率検出回路に結合され、前記エネルギー効率を示すデータを記憶し、前記複数の送信コイルに給電した履歴を生成するように構成された電子データ記憶装置と、
前記電子データ記憶装置および前記電源に結合され、前記電源に、前記複数の送信コイルのうちのいくつかに選択的に給電させるように構成されたコントローラと
を備え、前記少なくとも1つの送信コイルは、
前記履歴の統計解析と、
前記受信コイルへのエネルギー伝送のための最小効率基準に合致する前記エネルギー効率を示す前記電気的応答と
に従って選択され、前記選択された少なくとも1つのコイルが、測定された電気的応答を満たさない場合、前記複数の送信コイルのうちの次の送信コイルが選択され、
前記コントローラが前記履歴の前記統計解析に基づいて、前記複数の送信コイルの所定のシーケンスを決定するようにさらに構成され、前記コントローラが前記所定のシーケンスから前記複数の送信コイルのうちのすぐ後続の1つを選択することにより、前記複数の送信コイルの次の送信コイルを選択する、システム。
【請求項２】
前記所定のシーケンスが、少なくとも部分的に、前記複数の送信コイルの個々の1つ1つが選択されてからの時間の長さにさらに基づく、請求項1に記載のシステム。
【請求項３】
前記時間の長さが、前記コントローラが、前記複数の送信コイルのうちの個々の1つに給電することなく、前記複数の送信コイルのうち少なくとも1つに選択的に給電した回数に少なくとも部分的に基づく、請求項2に記載のシステム。
【請求項４】
前記再充電装置が、前記受信コイルを前記複数の送信コイルのうちの少なくとも1つの近くに置くために、前記受信コイルを含む着用物品が上に置かれるように構成された再充電表面を有する、請求項1に記載のシステム。
【請求項５】
前記複数の送信コイルが、第1の複数の送信コイルであり、前記電源および前記エネルギー効率検出回路に結合された第2の複数の送信コイルをさらに備え、前記再充電表面が、第1の複数の再充電コイルに対応する第1の再充電区域と、第2の複数の再充電コイルに対応する第2の再充電区域とを含み、前記コントローラが前記電源に、前記第1の複数の送信コイルの個々の1つ1つおよび前記第2の複数の送信コイルの個々の1つ1つに、それぞれ前記第1および第2の再充電区域の近くに置かれる受信コイルに基づいて、同時に、選択的に給電させるように構成された、請求項4に記載のシステム。
【請求項６】
前記エネルギー効率検出回路が電流計を備え、前記電気的応答が前記複数の送信コイルの個々の1つ1つを通して誘導される電流である、請求項1に記載のシステム。
【請求項７】
再充電装置であって、
パターンに配置された複数の送信コイルであって、前記複数の送信コイルのうちの少なくとも1つが、前記再充電装置の近くに配置された受信コイルと無線リンクを確立することを可能にする、複数の送信コイルと、
前記複数の送信コイルに結合され、前記複数の送信コイルのうちのいくつかに選択的に給電して、前記受信コイルに電力を伝送するように構成された電源と、
前記複数の送信コイルに結合され、前記電源により給電されたとき、前記複数の送信コイルの各々の、前記複数の送信コイルのうちの1つと前記受信コイルとの間のエネルギー効率を示す、電気的応答を検出するように構成されたエネルギー効率検出回路と、
前記エネルギー効率検出回路に結合され、前記エネルギー効率を示すデータを記憶し、前記複数の送信コイルに給電した履歴を生成するように構成された電子データ記憶装置と、
前記電子データ記憶装置および前記電源に結合され、前記電源に、前記複数の送信コイルのうちのいくつかに選択的に給電させるように構成されたコントローラと
を備え、前記少なくとも1つの送信コイルは、
前記履歴の統計解析と、
前記受信コイルへのエネルギー伝送のための最小効率基準に合致する前記エネルギー効率を示す前記電気的応答と
に従って選択され、前記選択された少なくとも1つのコイルが測定された電気的応答を満たさない場合、前記複数の送信コイルのうちの次の送信コイルが選択され、
前記コントローラが前記履歴の前記統計解析に基づいて、前記複数の送信コイルの所定のシーケンスを決定するようにさらに構成され、前記コントローラが前記所定のシーケンスから前記複数の送信コイルのうちのすぐ後続の1つを選択することにより、前記複数の送信コイルの前記次の送信コイルを選択する、再充電装置。
【請求項８】
前記所定のシーケンスが、少なくとも部分的に、前記複数の送信コイルの個々の1つ1つが選択されてからの時間の長さにさらに基づく、請求項7に記載の再充電装置。
【請求項９】
前記時間の長さが、前記コントローラが、前記複数の送信コイルのうちの個々の1つに給電することなく、前記複数の送信コイルのうち少なくとも1つに選択的に給電した回数に少なくとも部分的に基づく、請求項8に記載の再充電装置。
【請求項１０】
前記再充電装置が、前記受信コイルを前記複数の送信コイルのうちの少なくとも1つの近くに置くために、前記受信コイルを含む着用物品が上に置かれるように構成された再充電表面を有する、請求項7に記載の再充電装置。
【請求項１１】
前記複数の送信コイルが、第1の複数の送信コイルであり、前記電源および前記エネルギー効率検出回路に結合された第2の複数の送信コイルをさらに備え、前記再充電表面が、第1の複数の再充電コイルに対応する第1の再充電区域と、第2の複数の再充電コイルに対応する第2の再充電区域とを含み、前記コントローラが前記電源に、前記第1の複数の送信コイルの個々の1つ1つおよび前記第2の複数の送信コイルの個々の1つ1つに、それぞれ前記第1および第2の再充電区域の近くに置かれる受信コイルに基づいて、同時に、選択的に給電させるように構成された、請求項10に記載の再充電装置。
【請求項１２】
前記エネルギー効率検出回路が電流計を備え、前記電気的応答が前記複数の送信コイルの個々の1つ1つを通して誘導される電流である、請求項7に記載の再充電装置。
【請求項１３】
方法であって、
複数の送信コイルを再充電装置のハウジング内でパターンに配置して、前記複数の送信コイルのうちの少なくとも1つが、前記再充電装置の近くに配置された受信コイルと無線リンクを確立することを可能にするステップと、
前記複数の送信コイルのうちのいくつかに選択的に給電し、前記受信コイルに電力を伝送するように構成された電源を、前記複数の送信コイルに結合するステップと、
前記電源により給電されたとき、前記複数の送信コイルの各々の、前記複数の送信コイルのうちの1つと前記受信コイルとの間のエネルギー効率を示す、電気的応答を検出するように構成されたエネルギー効率検出回路を、前記複数の送信コイルに結合するステップと、
前記複数の送信コイルの給電の履歴を生成するために、前記エネルギー効率を示すデータを記憶するように構成された電子データ記憶装置を前記エネルギー効率検出回路に結合するステップと、
前記電源に前記複数の送信コイルのうちのいくつかに選択的に給電させるように構成されたコントローラを、前記電子データ記憶装置および前記電源に結合するステップと
を含み、前記少なくとも1つの送信コイルは、
前記履歴の統計解析と
前記受信コイルへのエネルギー伝送のための最小効率基準に合致する前記エネルギー効率を示す前記電気的応答とに従って選択され、前記選択された少なくとも1つのコイルが、測定された電気的応答を満たさない場合、前記複数の送信コイルのうちの次の送信コイルが選択され、
前記方法は、
前記コントローラが前記履歴の前記統計解析に基づいて、前記複数の送信コイルの所定のシーケンスを決定するステップ
を、さらに含み、
前記コントローラが前記所定のシーケンスから前記複数の送信コイルのうちのすぐ後続の1つを選択することにより、前記複数の送信コイルの前記次の送信コイルを選択するように構成された、方法。
【請求項１４】
前記所定のシーケンスが、少なくとも部分的に、前記複数の送信コイルの個々の1つ1つが選択されてからの時間の長さにさらに基づく、請求項13に記載の方法。
【請求項１５】
前記時間の長さが、前記コントローラが、前記複数の送信コイルのうちの個々の1つに給電することなく、前記複数の送信コイルのうち少なくとも1つに選択的に給電した回数に少なくとも部分的に基づく、請求項14に記載の方法。
【請求項１６】
前記再充電装置の前記ハウジングが、前記受信コイルを前記複数の送信コイルのうちの少なくとも1つの近くに置くために、前記受信コイルを含む着用物品が上に置かれるように構成された再充電表面を有する、請求項13に記載の方法。
【請求項１７】
前記複数の送信コイルが、第1の複数の送信コイルであり、前記電源および前記エネルギー効率検出回路に結合された第2の複数の送信コイルを前記ハウジング内に配置するステップをさらに備え、前記再充電表面が、第1の複数の再充電コイルに対応する第1の再充電区域と、第2の複数の再充電コイルに対応する第2の再充電区域とを含み、前記コントローラが前記電源に、前記第1の複数の送信コイルの個々の1つ1つおよび前記第2の複数の送信コイルの個々の1つ1つに、それぞれ前記第1および第2の再充電区域の近くに置かれる受信コイルに基づいて、同時に、選択的に給電させるように構成された、請求項16に記載の方法。
【請求項１８】
前記エネルギー効率検出回路が電流計を備え、前記電気的応答が前記複数の送信コイルの個々の1つ1つを通して誘導される電流である、請求項13に記載の方法。